(57)【特許請求の範囲】
【請求項１】
非接触型モード感知装置であって、
固定本体と、
前記固定本体上に回転可能に取り付けられ、その底面上に一本の円形のトラックに沿って形成された相異なる円弧長を有する複数の反射部を備える被駆動ギアと、
発光部と受光部とを備え、前記被駆動ギアが回転する間、前記発光部から発射された光が前記反射部によって反射されて前記受光部へ入射されるよう前記固定本体上に取り付けられた光カプラと、
前記発光部から発射され、前記反射部により反射されて前記受光部へ入射される光の存続時間によって電子装置の作動モードを決定するマイクロプロセッサとを有することを特徴とする非接触型モード感知装置。
【請求項２】
凹所が、前記隣接した反射部の間の前記ギアの底面上に形成されたことを特徴とする請求項１に記載の非接触型モード感知装置。
【請求項３】
非接触型モード感知装置であって、
固定本体と、
前記固定本体上に回転可能に取り付けられ、その底面上の一本の円形トラックに沿って相異なる距離だけ離隔して配置された複数の突起部を備える被駆動ギアと、
発光部と受光部とを備え、前記固定本体上に取り付けられた光カプラと、
前記発光部から発射され、前記受光部へ入射される光の存続時間によって電子装置の作動モードを決定するマイクロプロセッサとを有し、
前記被駆動ギアが回転する間に前記発光部と前記受光部との間を通る前記突起部が、前記発光部から発射される光の前記受光部への入射を遮断することを特徴とする非接触型モード感知装置。
【請求項４】
非接触型モード感知装置であって、
固定本体と、
前記固定本体上に回転可能に取り付けられ、その底面上の一本の円形トラックに沿って配置された相異なる円弧長を有する複数の突起部を備える被動ギアと、
発光部と受光部とを備え、前記固定本体上に取り付けられた光カプラと、
前記発光部から発射され、前記受光部へ入射される光の不在時間によって電子装置の作動モードを決定するマイクロプロセッサとを有し、
前記被駆動ギアが回転する間に前記発光部と前記受光部との間を通る前記突起部が、前記発光部から発射される光の前記受光部への入射を遮断することを特徴とする非接触型モード感知装置。
【発明の詳細な説明】
【０００１】
【発明の属する技術分野】
本発明は、電子製品用非接触型モード感知装置に関し、より詳細には、単純化した構造を有する非接触型モード感知装置に関する。
【０００２】
【従来の技術】
図１及び２には、米国特許５，０６１，８４８号に開示された従来の非接触型モード感知装置が示されている。前記従来のモード感知装置は、ピン３′を備えた固定本体３と一対の光カプラ９（９ａ、９ｂ及び９ｃ）とを含む。被駆動ギア１がピン３′上に回転可能に取り付けられて駆駆動ギア（図示せず）によって回転される。複数の反射片８（８ａ、８ｂ及び８ｃ）が被駆動ギア１の底面上に複数の同心円状のトラックに沿って配列されている。光カプラ９の数は反射片８のトラック数と同一である。各々の光カプラ（９ａ、９ｂ及び９ｃ）から発射された光は反射片８によって反射されて対応する光カプラ９の受光部に入射される。
【０００３】
被駆動ギア１が回転する場合、被駆動ギア１の底面上に形成された予定されたパターンの反射片８が回転すると共に、各々の光カプラ９が反射片８から反射される光の有無を感知し、かかる反射される光の有無によって電気信号をマイクロプロセッサ（図示せず）へ送り、マイクロプロセッサがかかる光カプラ９からの信号に基づいて現在の作動モードを決定する。
【０００４】
しかし、かかる従来のモード感知装置では、複数の反射片が要求されるため、反射片を同心円状のトラックに沿って正確なパターンに形成することが難しいので、誤動作を起こすおそれがある。
【０００５】
【発明が解決しようとする課題】
従って、本発明の目的は、少数の反射片を有する単純にされた非接触型モード感知装置を提供することにある。
【０００６】
【課題を解決するための手段】
上記の目的を達成するために、本発明の一実施例によれば、非接触型モード感知装置であって、固定本体と、前記固定本体上に回転可能に取り付けられ、その底面上に円形のトラックに沿って形成された相異なる円弧長を有する複数の反射部を備える被駆動ギアと、発光部と受光部とを備え、前記被駆動ギアが回転する間、前記発光部から発射された光が前記反射部によって反射されて前記受光部へ入射されるよう前記固定本体上に取り付けられた光カプラとを有することを特徴とする非接触型モード感知装置が提供される。
【０００７】
また、本発明の他の実施例によれば、非接触型モード感知装置であって、固定本体と、前記固定本体上に回転可能に取り付けられ、その底面上の円形トラックに沿って相異なる距離だけ離隔して配置された複数の突起部を備える被駆動ギアと、発光部と受光部とを備え、前記固定本体上に取り付けられた光カプラとを有し、前記被駆動ギアが回転する間に前記発光部と前記受光部との間を通る前記突起部が、前記発光部から発射される光の前記受光部への入射を遮断することを特徴とする非接触型モード感知装置が提供される。
【０００８】
なお、本発明のまた他の実施例によれば、非接触型モード感知装置であって、固定本体と、前記固定本体上に回転可能に取り付けられ、その底面上の円形トラックに沿って配置された相異なる円弧長を有する複数の突起部を備える被動ギアと、発光部と受光部とを備え、前記固定本体上に取り付けられた光カプラとを有し、前記被駆動ギアが回転する間に前記発光部と前記受光部との間を通る前記突起部が、前記発光部から発射される光の前記受光部への入射を遮断することを特徴とする非接触型モード感知装置が提供される。
【０００９】
【発明の実施の形態】
以下、本発明の好適実施例による電子製品用非接触型モード感知装置を添付の図面を参照しながら詳細に説明する。
【００１０】
図３及び４を参照すれば、ビデオカセットレコーダ（ＶＣＲ）に適用された本発明の一実施例による非接触型モード感知装置は、固定本体３０、光カプラ６０及び被駆動ギア４０を含む。
【００１１】
被駆動ギア４０はシャフト４１を介して固定本体３０上に回転可能に取り付けられ、駆動ギア（図示せず）と噛み合ってその回転によって回転される。例えば、５つの相違なる円弧長を有する反射部７１乃至７５が円形トラック７０に沿って被駆動ギア４０の底面上に形成されており、隣接した反射部の間には非反射部、例えば、凹所５１乃至５５が形成されている。
【００１２】
光カプラ６０は、発光部と受光部とを備え、被駆動ギア４０が回転する間、発光部６１から発射された光が反射部７１乃至７５によって反射されて受光部６２へ入射されるよう、ホルダー６３によって固定本体３０上に取り付けられる。
【００１３】
ＶＣＲの作動モードの切替時、被駆動ギア４０が所定角度ほど回転し、光カプラ６０の発光部６１から発射された光が光カプラ６０の上にある反射部７１乃至７５によって反射されて受光部６２に入射される。反射された光の存在時間によって、マイクロプロセッサ（図示せず）がＶＣＲの現在の作動モードを決定し、決定されたモードによってキャプスタンモータ（図示せず）などの他の電子部品を制御する。
【００１４】
以下、図３乃至５を参照して本発明のモード感知装置の動作について説明する。
【００１５】
まず、停止モードの際、第１凹所５１が光カプラ６０の真上に位置する。例えば、操作者がＶＣＲの再生ボタンを押す場合、被駆動ギア４０が回転して第２凹所５２が光カプラ６０の真上に位置する。被駆動ギア４０が回転する間、光カプラ６０の発光部６１から発射された光は第１反射部７１によって反射されて受光部６２へ入射され、マイクロプロセッサは反射された光の存在時間ｔ１をチェックしてＶＣＲが現在再生モードにあることを決定する。次に、操作者が高速巻取りボタンを押すと、被駆動ギア４０は、例えば、第３凹所５３が光カプラ６０の真上に位置するまで回転する。被動ギア４０が回転する間、光カプラ６０の発光部６１から発射された光は第２反射部７２によって反射されて受光部６２へ入射され、マイクロプロセッサは反射される光の存在時間ｔ２をチェックしてＶＣＲが現在高速巻取りモードにあることを決定する。同一の原理によりマイクロプロセッサが他の作動モードも決定できることは当業者には明らかである。
【００１６】
一方、停止モードから高速巻取りモードに切替られる場合、被駆動ギア４０が回転して第３凹所５３が光カプラ６０の真上に位置する。被駆動ギア４０が回転する間、光カプラ６０の発光部６１から発射された光が第１及び第２反射部７２、７３によって次々に反射され、マイクロプロセッサは反射された光の総存在時間ｔ１＋ｔ２をチェックしてＶＣＲが現在高速巻取りモードにあることを決定する。
【００１７】
図６及び図７には、本発明の他の実施例による非接触型モード感知装置が示されている。実施例２によるモード感知装置は固定本体１３０、被駆動ギア１４０、及び光カプラ１６０を含む。
【００１８】
被駆動ギア１４０はシャフト１４１を介して固定本体１３０上に回転可能に取り付けられ、駆動ギア（図示せず）と噛み合ってその回転によって回転される。例えば、５つの突起部１５１乃至１５５が被駆動ギア１４０の底面上に円形トラックに沿って互いに相異なる距離だけ離隔されて配置されている。
【００１９】
光カプラ１６０は発光部１６１と受光部１６２とを備え、被駆動ギア１４０が回転する間、突起部１５１乃至１５５が光カプラ１６０の発光部１６１と受光部１６２との間を経て、発光部１６１から発射された光が受光部１６２へ入射されることを遮断するようにホルダー１６３によって固定本体１３０上に取り付けられる。従って、光カプラ１６０からの信号パルスは実施例１における信号パルスと同様である。
【００２０】
更に、図８には本発明のまた他の実施例による非接触型モード感知装置が示されている。実施例３による非接触型モード感知装置は被駆動ギア１４０のその底面上に互いに相違なる円弧長を有する複数の突起部２５１乃至２５５が配置された被駆動ギア２４０を含む。この場合、図９に示したように、光カプラ１６０からの信号は図５の信号が反転されたパルス信号からなり、マイクロプロセッサは光カプラ１６０の受光部１６２へ入射された光の遮断時間をチェックしてＶＣＲの現在の作動モードを決定する。
【００２１】
【発明の効果】
本発明の非接触型モード感知装置は、その構造が単純にされ、誤動作のおそれを顕著に減少する。
【図面の簡単な説明】
【図１】従来の非接触型モード感知装置の斜視図。
【図２】図１の被動ギアの底面図。
【図３】本発明の実施例１による非接触型モード感知装置の断面図。
【図４】図３の被動ギアの底面上に形成された円形反射トラックを示す被動ギアの底面図。
【図５】本発明のモード感知装置によって発生された信号の波形図。
【図６】本発明の実施例２による非接触型モード感知装置の断面図。
【図７】図６の被駆動ギアの底面図上に円形トラックに沿って配置された突起部を示す被駆動ギアの底面図。
【図８】本発明の実施例３による非接触型モード感知装置の被駆動ギアの底面図。
【図９】本発明の実施例３によるモード感知装置によって発生された信号の波形図。
【符号の説明】
３０  固定本体
４０  被駆動ギア
５１、５５  凹所
６０  光カプラ
７０  円形反射トラック
７１、７５  反射部
１４０  被駆動ギア
１５１、１５５  突起部
２４０  被駆動ギア
２５１、２５５  突起部
【図１】
0003694386.tif 000002
【図２】
0003694386.tif 000003
【図３】
0003694386.tif 000004
【図４】
0003694386.tif 000005
【図５】
0003694386.tif 000006
【図６】
0003694386.tif 000007
【図７】
0003694386.tif 000008
【図８】
0003694386.tif 000009
【図９】
0003694386.tif 000010